(57)【要約】【課題】挿入部が長尺となっても使い勝手の良い携帯性に優れた内視鏡装置を提供すること。【解決手段】内視鏡システムは、操作部２４から挿入部２０が延出された内視鏡２と、この内視鏡２が接続された装置本体３と、内視鏡２及び装置本体３を収納する収納部４０を有する収納ケース１とを備える。収納ケース１の収納部４０は、装置本体３を収容する装置本体収容凹部４２と、内視鏡２の操作部２４を収容する操作部収容凹部４１と、操作部２４から延出された挿入部２０を巻回する挿入部巻回ドラム４５を着脱可能に収容するドラム収容部４４ａを有するドラム収容バック４４とを備えている。【選択図】図３
2009204854.tif 000002
【特許請求の範囲】
【請求項１】
操作部から挿入部が延出された内視鏡と、この内視鏡が接続された装置本体と、前記内視鏡及び前記装置本体を収納する収納部を有する収納ケースとを備える内視鏡システムにおいて、
前記収納ケースの収納部は、
前記装置本体を収容する装置本体収容部と、
前記内視鏡の操作部を収容する操作部収容部と、
前記操作部から延出された挿入部を巻回する挿入部巻回部材を着脱可能に収容する挿入部収容部と、
を備えることを特徴とする内視鏡システム。
【請求項２】
前記内視鏡の操作部は、保持部材を有しており、
前記挿入部巻回部材に、前記保持部材が挿通する貫通孔を設けたことを特徴とする請求項１に記載の内視鏡システム。
【請求項３】
前記挿入部収容部は、前記収納ケースの前記収納部に対して着脱自在な構成にする着脱手段を備えることを特徴とする請求項１に記載の内視鏡システム。
【請求項４】
前記内視鏡の操作部は、保持部材を有しており、
前記挿入部収容部は、前記保持部材に引っ掛けられる取り付け紐を備えることを特徴とする請求項３に記載の内視鏡システム。
【請求項５】
前記保持部材は、前記操作部に設けられた操作指示機構を保護するガード部材を兼用することを特徴とする請求項２乃至請求項４の何れか１項に記載の内視鏡システム。
【請求項６】
前記収納ケースは、蓋部材とケース本体とを備え、
前記蓋部材が閉状態のとき、前記挿入部収容部は、前記蓋部材の内面と、前記ケース本体内の前記装置本体収容部に収容された装置本体との間隙に配置されて、緩衝部材を兼用することを特徴とする請求項１乃至請求項４の何れか１項に記載の内視鏡システム。 
【発明の詳細な説明】
【技術分野】
【０００１】
本発明は、内視鏡及び内視鏡と接続された内視鏡装置本体を収納する収納ケースを備える内視鏡システムに関する。
【背景技術】
【０００２】
内視鏡は、医療用分野及び工業用分野において広く利用されている。医療用分野において使用される内視鏡は、細長な挿入部を体腔内に挿入することによって、体腔内の臓器を観察すること、或いは、必要に応じて挿入部に設けられた処置具チャンネルを介して体腔内に処置具を導入することによって各種処置や検査を行える。
【０００３】
一方、工業用分野において使用される内視鏡は、細長な挿入部をジェットエンジン内、工場の配管等に挿入することによって、被検部位の傷の有無、或いは腐蝕の有無の観察、或いは各種修理等を行える。
【０００４】
工業用の内視鏡装置には、例えば先端に、撮像用のレンズ、ＣＣＤ等の撮像素子、及びＬＥＤ等の発光素子を有する撮像ユニットを配設した細長の挿入部を有する内視鏡と、該内視鏡が接続される装置本体とにより構成されるものがある。
【０００５】
例えば、特許文献１には光源装置、ビデオ処理装置及びモニタの電源を乾電池や充電式電池等のバッテリを電源にして、携帯性及び作業性に優れた携帯型内視鏡装置が示されている。この携帯型内視鏡装置では、内視鏡及び装置本体は収納ケースに収納され、収納ケースに収納された状態でユーザーによって観察場所の近くまで持ち込まれる。そして、ユーザーは、収納ケースから内視鏡及び装置本体を取り出し、ベルトを例えば肩に掛けて、装置本体を提げた状態で内視鏡を観察場所まで持ち運んで観察を行う。
【０００６】
ここで、収納ケースから取り出した内視鏡及び装置本体を持ち運ぶときに、挿入部が垂れ下がって邪魔になる可能性があったため、ユーザーは、収納ケースから内視鏡を取り出した後、挿入部を巻回することが考えられた（特許文献２）。
【特許文献１】特開２００４-２４４２４号公報
【特許文献２】特開２００５-２７０４６８号公報
【発明の開示】
【発明が解決しようとする課題】
【０００７】
しかしながら、内視鏡の操作部から延出している挿入部の長さ寸法が長尺、例えば３ｍ以上であると、挿入部を巻回する作業を、収納ケースから取り出す度に行  わなければならず、ユーザーにとってこの作業がわずらわしかった。
【０００８】
本発明は上記事情に鑑みてなされたものであり、挿入部が長尺となっても使い勝手の良い携帯性に優れた内視鏡システムを提供することを目的にしている。
【課題を解決するための手段】
【０００９】
本発明の内視鏡システムは、操作部から挿入部が延出された内視鏡と、この内視鏡が接続された装置本体と、前記内視鏡及び前記装置本体を収納する収納部を有する収納ケースとを備える内視鏡システムであって、
前記収納ケースの収納部は、前記装置本体を収容する装置本体収容部と、前記内視鏡の操作部を収容する操作部収容部と、前記操作部から延出された挿入部を巻回する挿入部巻回部材を着脱可能に収容する挿入部収容部とを備えている。
【００１０】
この構成によれば、内視鏡の挿入部は、挿入部巻回部材に巻回された状態で、挿入部収容部に収容されている。このため、装置本体を装置本体収容部から取り出し、内視鏡の操作部を操作部収容部から取り出すと同時に、挿入部収容部から挿入部が巻回された挿入部巻回部材を取り出して、持ち運びを行える。
【発明の効果】
【００１１】
本発明によれば、挿入部が長尺となっても使い勝手の良い携帯性に優れた内視鏡装置を実現できる。
【発明を実施するための最良の形態】
【００１２】
以下、図面を参照して本発明の実施の形態を説明する。  
図１乃至図８は本発明の一実施形態に係り、図１は内視鏡及び装置本体を収納して運搬する収納ケースを説明する図、図２は内視鏡装置とそれらを収納する収納ケースを備えた内視鏡システムを説明する図、図３は収納ケースの収納部の構成を説明する図、図４は挿入部巻回ドラムを説明する図、図５は収納ケースに収容された装置本体と、ドラム収容バックと、保護部材との関係を説明する図、図６は装置本体収容凹部に収容された装置本体とドラム収容バックとの関係を説明する図、図７はユーザーによって持ち運ばれる装置本体及び内視鏡を示す図、図８は挿入部巻回ドラムの操作部への別の取り付け方を示す図である。
【００１３】
本実施形態の後述する内視鏡装置である内視鏡及び装置本体は、図１に示すように収納ケース１に収容されて、観察場所の近くまで運搬される。  
図２に示すように内視鏡システム１０は、収納ケース１と、内視鏡２と、この内視鏡２と電気的、機械的に接続される装置本体３とを備えて構成されている。
【００１４】
収納ケース１は、蓋部材である上蓋１ａとケース本体１ｂとを備えている。収納ケース１には開閉機構である複数のラッチ１ｃが設けられており、ケース本体１ｂに対して上蓋１ａが開閉自在に構成されている。
【００１５】
内視鏡２は、例えば挿入部２０の先端部２１内に撮像素子（不図示）を設けた工業用内視鏡であり、先端部２１には光学部材、発光素子等を内蔵した光学アダプタ３９が着脱自在に取り付けられる構成である。
【００１６】
装置本体３は、画像処理部（不図示）、表示装置であるモニタ４、電力を供給するバッテリ（不図示）を備えて構成されている。画像処理部は外装筐体５内に設けられ、撮像素子の駆動及びこの撮像素子から出力される画像信号から映像信号を生成する等の処理を行う。モニタ４は、装置本体３を構成する外装筐体５にヒンジ（不図示）等を介して固定されている。本実施形態において、モニタ４は、外装筐体５に開閉自在であって、閉状態においては画像表示面４ａを有するモニタ面４ｂの裏面が、外装筐体５の図１中、背面側に配置される構成になっている。バッテリは、光学素子、発光素子、モニタ４等に電力を供給する。
【００１７】
符号６はカバーであり、内視鏡装置が未使用の際、画像表示面４ａを覆って保護する。符号７は脚部であり、例えばＮＢＲ等のゴムにより形成され、外装筐体５の角部に取り付けられている。
【００１８】
内視鏡２は、細長で可撓性を有する挿入部２０と、この挿入部２０の基端部に連設する操作部２４と、この操作部２４から延出する可撓性を有するユニバーサルコード２９とを備えて構成されている。挿入部２０は、先端側から順に、先端部２１、例えば上下左右方向に湾曲自在な湾曲部２２、および可撓性を有する可撓管部２３を連設して構成されている。
【００１９】
ユニバーサルコード２９内には、発光素子へ電力を供給する電気ケーブル（不図示）、撮像素子へ駆動制御信号を伝送する信号線及び撮像素子で光電変換された画像信号を伝送する信号線を備えた信号ケーブル（不図示）等が内挿されている。
【００２０】
操作部２４は、操作部本体２５と、操作ワイヤ配設部２６と、把持部２７と、側部構成部２８Ｌ、２８Ｒとを備えて構成されている。操作部本体２５の天面（上面ともいう）２５ｕには、湾曲部２２を湾曲動作させる操作指示機構である、湾曲操作指示レバー（以下、湾曲レバーと略記する）３０が設けられている。
【００２１】
湾曲レバー３０は、傾倒方向および傾倒角度を変化させる傾倒操作を行うことによって挿入部２０内および操作部２４内に挿通されている図示しない牽引部材を移動させて、湾曲部２２を所望の方向に所望の湾曲量だけ湾曲させる。湾曲部２２は、湾曲レバー３０が直立状態のとき、略直線状になるように構成されている。
【００２２】
操作部本体２５の正面部３１には、挿入部２０を保持する保持孔３２を備えた保持部材３３が設けられている。保持孔３２の内径は、挿入部２０の外径より所定寸法だけ大きく形成されている。保持部材３３は、操作部本体２５に対して別体であって、例えば、接着剤、ネジ等によって操作部本体２５に一体的に固定される。この固定状態において、保持部材３３の上端側は、操作部本体２５の上面２５ｕから所定量、突出する。保持部材３３は、上面２５ｕから突出する湾曲レバー３０を保護するガード部材を兼ねている。
【００２３】
図３及び図６に示すように収納ケース１の上蓋１ａを開状態にしたケース本体１ｂの収納部４０内には操作部収容凹部４１及び装置本体収容凹部４２を備えた収容部材４３及びドラム収容バック４４等が設けられている。
【００２４】
操作部収容凹部４１は操作部収容部であって、内視鏡２の操作部２４が収容される構成になっている。装置本体収容凹部４２は装置本体収容部であって、装置本体３の脚部７を含む外装筐体５側が収容される構成になっている。ドラム収容バック４４は、挿入部巻回部材である挿入部巻回ドラム（以下、ドラムと略記）４５が収容されるドラム収容部４４ａを備えている。ドラム収容バック４４は、例えば樹脂部材を用いて弾発性を有するように構成されている。
【００２５】
ドラム４５は硬質部材、例えば樹脂製で、図４に示すようにドーナツ形状、或いは円板形状であって、その外周面には挿入部２０が巻回される凹み溝４５ａが設けられている。凹み溝４５ａの底面には挿入部２０の先端部２１を保持する挿入部保持部材４６が固設されている。符号４５ｂは孔である。この孔４５ｂの内径寸法は、保持部材３３の上端側に挿通されるように形成されている。
【００２６】
なお、ドラム収容バック４４は、図３に示すように収納部４０の上蓋開閉部側の内壁４０ｉに設けられている収納ポケット４７の側部に対して着脱手段である例えば線ファスナー４８、或いは図示しないスナップボタンを介して着脱自在に取り付けられている。
【００２７】
また、符号４４ｂは固定ベルトである。固定ベルト４４ｂは、ドラム収容バック４４のドラム収容部４４ａに収容されたドラム４５が収容部内から外部に脱落することを防止する。固定ベルト４４ｂの端部所定位置にはマジックテープ（登録商標）等の面ファスナー（不図示）が設けられており、ドラム収容バック４４の所定位置に設けられた面ファスナー（不図示）に対して着脱自在に取り付けられる構成である。
【００２８】
図５に示すように上蓋１ａの内面には発泡ウレタン等で所定形状に形作られた保護部材１ｄが配設される。保護部材１ｄには図示しないリジットスリーブ等を収納するための収納凹部（不図示）が形作られている。ドラム４５をドラム収容部４４ａに収容したドラム収容バック４４は、装置本体収容凹部４２に収容された装置本体３に取り付けられているモニタ４の画像表示面４ａを覆って保護するカバー６上に配置される。そして、上蓋１ａを閉じた状態において、ドラム収容バック４４は、カバー６と保護部材１ｄとによって挟持される。
【００２９】
このことによって、内視鏡２及び装置本体３を収納ケース１に収容して前記図１に示すように運搬しているとき、運搬中に発生する振動、或いは衝撃等によって装置本体３が収納部４０内で暴れることが防止される。つまり、ドラム収容バック４４は、緩衝部材を兼用している。
【００３０】
上述のように構成されている内視鏡システム１０の作用を説明する。  
ユーザーは、内視鏡２及び装置本体３を収容した収納ケース１を観察場所の近くまで運搬する。その後、ユーザーは図５の破線に示すように上蓋１ａを開状態にして、収納部４０から例えば、操作部２４、挿入部２０が巻回収容されているドラム４５、装置本体３の順に取り出していく。
【００３１】
装置本体３を装置本体収容凹部４２から取り出す際、図６に示すようにカバー６上に載置されているドラム収容バック４４を、収納ポケット４７に取り付けられている状態で上蓋１ａの保護部材１ｄ側に移動させる。このことによって、装置本体３を容易に装置本体収容凹部４２から取り出すことが可能になる。
【００３２】
次に、ユーザー５０は、収納ケース１から内視鏡２の操作部２４、挿入部２０が巻回されたドラム４５及び装置本体３を取り出した後、図７に示すように装置本体３に取り付けられているベルト４９を例えば肩に掛け、観察場所まで装置本体３及び内視鏡２を持ち運ぶ。このとき、内視鏡２の操作部２４を装置本体３に設けられている取付部に取り付け、ドラム４５の孔４５ｂを操作部２４の保持部材３３に引っ掛ける。
【００３３】
このように、収納ケースに操作部収容凹部、装置本体収容凹部に加えて、挿入部が巻回されるドラムを収容するドラム収容部を有するドラム収容バックを設けることによって、観察場所まで収納ケースを運搬した後、収納ケースから内視鏡を取り出す際に、例え挿入部が長尺になっても、収納ケースから挿入部を取り出した後、改めて巻回する等のまとめる作業がなくなり、内視鏡及び装置本体を観察場所まで容易に持ち運ぶことができ、迅速に観察作業に移ることができる。
【００３４】
なお、本実施形態においては、ドラム４５に孔４５ｂを形成し、その孔４５ｂを操作部２４の保持部材３３に引っ掛けて挿入部２０を巻回したドラム４５を操作部２４とともに移動するとしている。しかし、上述した実施形態においては、ドラム収容バック４４が線ファスナー４８によって収納ポケット４７に着脱自在に取り付けられる構成であるので、ドラム収容バック４４を収納ポケット４７から取り外し、図８に示すようにドラム収容バック４４に備えられている取り付け紐４４ｃを操作部２４の保持部材３３に引っ掛けて、持ち運ぶようにしても良い。
【００３５】
尚、本発明は、以上述べた実施形態のみに限定されるものではなく、発明の要旨を逸脱しない範囲で種々変形実施可能である。
【図面の簡単な説明】
【００３６】
【図１】内視鏡及び装置本体を収納して運搬する収納ケースを説明する図
【図２】内視鏡装置とそれらを収納する収納ケースを備えた内視鏡システムを説明する図
【図３】収納ケースの収納部の構成を説明する図
【図４】挿入部巻回ドラムを説明する図
【図５】収納ケースに収容された装置本体と、ドラム収容バックと、保護部材との関係を説明する図
【図６】装置本体収容凹部に収容された装置本体とドラム収容バックとの関係を説明する図
【図７】ユーザーによって持ち運ばれる装置本体及び内視鏡を示す図
【図８】挿入部巻回ドラムの操作部への別の取り付け方を示す図
【符号の説明】
【００３７】
１…収納ケース    １ａ…上蓋    １ｂ…ケース本体    １ｄ…保護部材
２…内視鏡    ３…装置本体    ４…モニタ    ５…外装筐体    ６…カバー
１０…内視鏡システム    ２０…挿入部    ２４…操作部    ２５…操作部本体
２５ｕ…上面    ２６…操作ワイヤ配設部    ２９…ユニバーサルコード
３０…湾曲レバー    ３１…正面部    ３２…保持孔    ３３…保持部材
４０…収納部    ４１…操作部収容凹部    ４２…装置本体収容凹部
４４…ドラム収容バック    ４４ａ…ドラム収容部    ４４ｂ…固定ベルト
４４ｃ…取り付け紐    ４５…挿入部巻回ドラム    ４５ａ…凹み溝    ４５ｂ…孔
４６…挿入部保持部材    ４７…収納ポケット    ４８…線ファスナー
【図１】
2009204854.tif 000003
【図２】
2009204854.tif 000004
【図３】
2009204854.tif 000005
【図４】
2009204854.tif 000006
【図５】
2009204854.tif 000007
【図６】
2009204854.tif 000008
【図７】
2009204854.tif 000009
【図８】
2009204854.tif 000010